(57)【要約】【課題】クレジットカードでの支払い時に、クレジットカード会社と商品の購入者の両方が、商品の販売元の店舗名を特定できるようにする。【解決手段】携帯端末３５は、装着されたカード３６から読み出した情報を登録サーバ３８に送信する際、店３１を特定するための店舗番号も送信する。登録サーバ３８は、店舗番号と自己が管理するデータベースを参照し、店舗番号に対応する加盟店番号や店舗名を携帯端末３５や決済サーバ４０に送信する。携帯端末３５は、送信されてきた店舗名を含む情報が記載された領収書を購入者３２に発行する。決済サーバ４０は、送信されてきた加盟店番号により店３１を特定する。本発明は、商品を宅配する宅配業者が、商品の代金を回収する際に用いるカードリーダや決済にかかわるサーバに適用することができる。【選択図】図２
2007299087.tif 000002
【特許請求の範囲】
【請求項１】
商品を購入した購入者に前記商品を配達する宅配業者が携帯する携帯端末、前記携帯端末と情報の授受を行う第１の情報処理装置、および前記第１の情報処理装置と情報の授受を行う第２の情報処理装置から構成される情報処理システムにおいて、
前記携帯端末は、
前記商品の代金の支払いに用いられる前記購入者のカードのカード情報と、前記商品
を販売した店を識別するために前記店に割り振られた店舗番号を取得し、前記第１の情
報処理装置に送信する第１の送信手段と、
前記第１の情報処理装置から、前記カードによる代金の支払いが承認されたか否かを
表す与信情報と、前記店の店舗名を受信する受信手段と、
前記与信情報が、前記カードによる代金の支払いが承認されたことを表している場合、
前記店舗名が記載された領収書を発行する発行手段と
を備え、
前記第１の情報処理装置は、
前記店舗番号、前記第２の情報処理装置で前記店に対して割り当てた加盟店番号、お
よび、前記店の店舗名をそれぞれ関連付けたデータベースを管理する管理手段と、
前記第１の送信手段により送信された前記カード情報と前記店舗番号を受信した場合、
前記管理手段に管理されている前記データベースを参照し、前記店舗番号に関連付けら
れている前記加盟店番号を読み出し、前記第２の情報処理装置に、前記カード情報とと
もに送信する第２の送信手段と、
前記第２の情報処理装置から送信された前記与信情報を受信した場合、受信された与
信情報と、前記データベースから読み出される前記加盟店番号に関連付けられている店
舗名を前記携帯端末に送信する第３の送信手段と
を備え、
前記第２の情報処理装置は、
前記第２の送信手段により送信された前記カード情報を受信した場合、与信を行い、
その与信の結果を前記与信情報として前記第１の情報処理装置に送信する第４の送信手
段と
を備える
情報処理システム。
【請求項２】
商品を購入した購入者に前記商品を配達する宅配業者が携帯する携帯端末において、
前記商品の代金の支払いに用いられる前記購入者のカードのカード情報を、前記カードから読み出す読み出し手段と、
前記商品を販売した店を識別するために前記店に割り振られた店舗番号を取得する取得手段と、
前記カード情報と前記店舗番号を送信する送信手段と、
前記カードによる代金の支払いが承認されたか否かを表す与信情報と、前記店舗番号で示される前記店の店舗名を受信する受信手段と、
前記与信情報が、前記カードによる代金の支払いが承認されたことを表している場合、前記店舗名が記載された領収書を発行する発行手段と
を備える携帯端末。
【請求項３】
前記取得手段は、複数のキーで構成され、
前記店舗番号は、前記商品を配達するのに必要な情報が記載されている荷札の一部に記載され、
前記取得手段は、前記宅配業者が前記キーを操作することにより入力した前記店舗番号を取得する
請求項２に記載の携帯端末。
【請求項４】
前記取得手段は、バーコードを読み取るリーダで構成され、
前記店舗番号は、前記商品を配達するのに必要な情報が記載されている荷札の一部に記載され、
前記取得手段は、前記宅配業者により操作された前記リーダにより読み取られたバーコードを解析することにより前記店舗番号を取得する
請求項２に記載の携帯端末。
【請求項５】
商品を購入した購入者に前記商品を配達する宅配業者が携帯する携帯端末の情報処理方法において、
前記商品の代金の支払いに用いられる前記購入者のカードのカード情報の前記カードからの読み出しを制御する読み出し制御ステップと、
前記商品を販売した店を識別するために前記店に割り振られた店舗番号を取得する取得ステップと、
前記カード情報と前記店舗番号の送信を制御する送信制御ステップと、
前記カードによる代金の支払いが承認されたか否かを表す与信情報と、前記店舗番号で示される前記店の店舗名の受信を制御する受信制御ステップと、
前記与信情報が、前記カードによる代金の支払いが承認されたことを表している場合、前記店舗名が記載された領収書を発行する発行ステップと
を含む携帯端末の情報処理方法。
【請求項６】
商品を購入した購入者に前記商品を配達する宅配業者が携帯する携帯端末を制御するコンピュータのプログラムであって、
前記商品の代金の支払いに用いられる前記購入者のカードのカード情報の前記カードからの読み出しを制御する読み出し制御ステップと、
前記商品を販売した店を識別するために前記店に割り振られた店舗番号を取得する取得ステップと、
前記カード情報と前記店舗番号の送信を制御する送信制御ステップと、
前記カードによる代金の支払いが承認されたか否かを表す与信情報と、前記店舗番号で示される前記店の店舗名の受信を制御する受信制御ステップと、
前記与信情報が、前記カードによる代金の支払いが承認されたことを表している場合、前記店舗名が記載された領収書を発行する発行ステップと
を含むプログラム。
【請求項７】
商品を購入した購入者に前記商品を配達する宅配業者が携帯する携帯端末と情報を授受する情報処理装置において、
前記商品を販売した店を識別するために前記店に割り振った店舗番号、前記携帯端末により処理され、前記商品の代金の支払いに用いられるカードのカード会社が前記店に対して割り当てた加盟店番号、および、前記店の店舗名をそれぞれ関連付けたデータベースを管理する管理手段と、
前記カードのカード情報と前記店舗番号を受信した場合、前記管理手段に管理されている前記データベースを参照し、受信された前記店舗番号に関連付けられている前記加盟店番号を読み出す読み出し手段と、
前記読み出し手段により読み出された前記加盟店番号と受信された前記カード情報を、前記発行者の装置に送信する第１の送信手段と、
前記カードによる代金の支払いが承認されたか否かを表す与信情報を受信した場合、受信された与信情報と、前記データベースから読み出される前記加盟店番号に関連付けられている店舗名を前記携帯端末に送信する第２の送信手段と
を備える情報処理装置。
【請求項８】
１つの前記店舗番号には、複数の発行者でそれぞれ割り当てた前記加盟店番号が関連付けられている
請求項７に記載の情報処理装置。
【請求項９】
商品を購入した購入者に前記商品を配達する宅配業者が携帯する携帯端末と情報を授受する情報処理装置の情報処理方法において、
前記商品を販売した店を識別するために前記店に割り振った店舗番号、前記携帯端末により処理され、前記商品の代金の支払いに用いられるカードのカード会社が前記店に対して割り当てた加盟店番号、および、前記店の店舗名をそれぞれ関連付けたデータベースを管理する管理ステップと、
前記カードのカード情報と前記店舗番号を受信した場合、前記データベースを参照し、受信された前記店舗番号に関連付けられている前記加盟店番号の読み出しを制御する読み出し制御ステップと、
前記読み出し制御ステップの処理で読み出しが制御された前記加盟店番号と受信された前記カード情報の前記発行者の装置への送信を制御する第１の送信制御ステップと、
前記カードによる代金の支払いが承認されたか否かを表す与信情報を受信した場合、受信された与信情報と、前記データベースから読み出される前記加盟店番号に関連付けられている店舗名の前記携帯端末への送信を制御する第２の送信制御ステップと
を含む情報処理方法。
【請求項１０】
商品を購入した購入者に前記商品を配達する宅配業者が携帯する携帯端末と情報を授受する情報処理装置を制御するコンピュータのプログラムであって、
前記商品を販売した店を識別するために前記店に割り振った店舗番号、前記携帯端末により処理され、前記商品の代金の支払いに用いられるカードのカード会社が前記店に対して割り当てた加盟店番号、および、前記店の店舗名をそれぞれ関連付けたデータベースを管理する管理ステップと、
前記カードのカード情報と前記店舗番号を受信した場合、前記データベースを参照し、受信された前記店舗番号に関連付けられている前記加盟店番号の読み出しを制御する読み出し制御ステップと、
前記読み出し制御ステップの処理で読み出しが制御された前記加盟店番号と受信された前記カード情報の前記発行者の装置への送信を制御する第１の送信制御ステップと、
前記カードによる代金の支払いが承認されたか否かを表す与信情報を受信した場合、受信された与信情報と、前記データベースから読み出される前記加盟店番号に関連付けられている店舗名の前記携帯端末への送信を制御する第２の送信制御ステップと
を含むプログラム。
【発明の詳細な説明】
【技術分野】
【０００１】
本発明は情報処理システム、情報処理装置および方法、携帯端末および携帯端末の情報処理方法、並びにプログラムに関し、特に、クレジットカードなどの決済を、商品を配達する宅配業者が代行するときに、商品の発送元の店名などの情報が、購入者やクレジットカードの発行者に通知できる情報処理システム、情報処理装置および方法、携帯端末および携帯端末の情報処理方法、並びにプログラム装置に関する。
【背景技術】
【０００２】
宅配便の発達により、商品を販売店から購入者に、宅配便により配送されるという形態が一般化している。また、インターネットの普及により、購入者は直接店に行かなくても、インターネット上の店にアクセスすることにより、自宅に居ながら、商品を購入することができ、また、購入した商品を宅配便により受け取ることができるようになっている。
【０００３】
このように、宅配便により商品を授受するという商品の購入形態が増大している。このように、宅配便により配達された商品の購入代金が、宅配業者により回収される支払い形態がある。宅配業者により購入代金が回収される際、その支払いは、クレジットカードで行われることがある。
【０００４】
このような商品の購入形態と購入代金の支払い形態に関し、図１を参照して簡便に説明を加える。図１は、商品の購入から購入代金の決済に関わる従来のシステムの一例の構成を示す図である。
【０００５】
店１１は、インターネット上の店である。購入者１２は、店１１から商品１３を購入する。商品１３は、宅配業者１４により店１１から購入者１２に配送される。宅配業者１４は、商品１３の購入代金（配送料などを含む代金）を、購入者１２が、購入者１２のクレジットカード１６（以下、単にカード１６と記述する）で支払うことを希望した場合（そのような契約になっていた場合）、携帯端末１５により決済の処理を行う。
【０００６】
携帯端末１５は、カード１６から情報を読み取る機能や、読み取った情報をネットワーク１７を介して決済サーバ１８に送信する機能などを有している。決済サーバ１８は、携帯端末１５から送信されてきた情報に基づき、カード１６による決済を認めるか否か、すなわち予審を行い、その結果を、ネットワーク１７を介して携帯端末１５に送信する。
【０００７】
携帯端末１５は、決済サーバ１８からの予審の結果に応じた処理を実行する。すなわち、予審の結果が、決済の承諾を示すものであった場合、領収書などの発行が行われ、決済を承諾しないことを示すものであった場合、エラー表示などが行われ、カード１６から再度情報が読み取られるなどの処理が行われたり、現金の支払いに変えてもらうなどの処理が実行されたりする。
【０００８】
ところで、上述したように、携帯端末１５からカード１６の情報がネットワーク１７経由で決済サーバ１８に送信されるが、その送信される情報は、クレジットカード番号や暗証番号であり、個人情報の漏洩が懸念される。そこで、個人情報の漏洩を防ぐ決済の方法などが提案されている（例えば、特許文献１参照）
【特許文献１】特開２００４−３１８９０９号公報
【発明の開示】
【発明が解決しようとする課題】
【０００９】
図１を参照して説明したように、宅配業者１４により携帯端末１５が用いられて、カード１６による代金の支払いが行われた後、宅配業者１４と決済サーバ１８（決済サーバ１８を管理し、カード１６を発行したクレジットカード会社）との間で決済が行われる。この宅配業者１４と決済サーバ１８との間で行われる決済は、宅配業者１４とクレジットカード会社との間の契約に基づき実行される。
【００１０】
換言すれば、決済サーバ１８を管理するクレジットカード会社は、店１１の情報、例えば、店１１の店舗名などを通知されることがなく、すなわち、携帯端末１５から決済サーバ１８に送信される情報は、上述したように、カード１６の情報であり、店１１の情報は送信されないため、店１１の情報を取得することなく決済の処理が行われる。
【００１１】
このことは、例えば、違法な商品を店１１が購入者１２に販売したとしても、クレジットカード会社は決済の処理を行ってしまうことを意味する。クレジットカード会社側からみれば、実際の商品の販売者が認識できないため、クレジットカード会社のカード加盟店として不適切な店（契約を本来結びたくないような店）であっても、自社のクレジットカードで支払いが行われてしまう可能性があった。よって、クレジットカードの加盟店としてふさわしくない店を見つけだすことができるように、実際の商品の販売者（店）を把握できるようにする仕組みが望まれていた。
【００１２】
また、上記したようにクレジットカード（カード１６）により商品の購入代金が支払われた場合、購入者１２には、宅配業者１４から領収書が発行される。その領収書は、宅配業者１４から発行されるものであるので、宅配業者１４の名前が記載されている領収書であり、店１１の店舗名が記載されている領収書ではなかった。宅配業者１４により発行された領収書では、購入者１１が、その領収書が商品１３（店１１）の領収書であることを認識しづらく、クレジットカードの利用時の領収書として控えておくのには適していなかった。
【００１３】
さらに、クレジットカード会社から商品１３の購入後に送付されてくる利用明細書も、宅配業者１４との間でカード１６が利用されたことが記載されているだけであり、店１１で利用したことは記載されていないため、上記したような、クレジットカードの利用控え書として用いたりするのには適していなかった。
【００１４】
本発明は、このような状況に鑑みてなされたものであり、クレジットカード会社や購入者に、店の情報を提供できるようにするものである。
【課題を解決するための手段】
【００１５】
本発明の一側面の情報処理システムは、商品を購入した購入者に前記商品を配達する宅配業者が携帯する携帯端末、前記携帯端末と情報の授受を行う第１の情報処理装置、および前記第１の情報処理装置と情報の授受を行う第２の情報処理装置から構成される情報処理システムであって、前記携帯端末は、前記商品の代金の支払いに用いられる前記購入者のカードのカード情報と、前記商品を販売した店を識別するために前記店に割り振られた店舗番号を取得し、前記第１の情報処理装置に送信する第１の送信手段と、前記第１の情報処理装置から、前記カードによる代金の支払いが承認されたか否かを表す与信情報と、前記店の店舗名を受信する受信手段と、前記与信情報が、前記カードによる代金の支払いが承認されたことを表している場合、前記店舗名が記載された領収書を発行する発行手段とを備え、前記第１の情報処理装置は、前記店舗番号、前記第２の情報処理装置で前記店に対して割り当てた加盟店番号、および、前記店の店舗名をそれぞれ関連付けたデータベースを管理する管理手段と、前記第１の送信手段により送信された前記カード情報と前記店舗番号を受信した場合、前記管理手段に管理されている前記データベースを参照し、前記店舗番号に関連付けられている前記加盟店番号を読み出し、前記第２の情報処理装置に、前記カード情報とともに送信する第２の送信手段と、前記第２の情報処理装置から送信された前記与信情報を受信した場合、受信された与信情報と、前記データベースから読み出される前記加盟店番号に関連付けられている店舗名を前記携帯端末に送信する第３の送信手段とを備え、前記第２の情報処理装置は、前記第２の送信手段により送信された前記カード情報を受信した場合、与信を行い、その与信の結果を前記与信情報として前記第１の情報処理装置に送信する第４の送信手段とを備える。
【００１６】
本発明の情報処理システムにおいては、商品を購入した購入者に前記商品を配達する宅配業者が携帯する携帯端末、携帯端末と情報の授受を行う第１の情報処理装置、および第１の情報処理装置と情報の授受を行う第２の情報処理装置から構成され、携帯端末は、商品の代金の支払いに用いられる購入者のカードのカード情報と、商品を販売した店を識別するために店に割り振られた店舗番号を取得し、第１の情報処理装置に送信し、第１の情報処理装置からの与信情報が、カードによる代金の支払いが承認されたことを表している場合、第１の情報処理装置から提供された店の店舗名が記載された領収書を発行し、第１の情報処理装置は、店舗番号、第２の情報処理装置で店に対して割り当てた加盟店番号、および、店の店舗名をそれぞれ関連付けたデータベースを管理し、携帯端末からのカード情報と店舗番号を受信した場合、データベースを参照し、店舗番号に関連付けられている加盟店番号を読み出し、第２の情報処理装置に、カード情報とともに送信し、第２の情報処理装置から送信された与信情報を受信した場合、受信された与信情報と、データベースから読み出される加盟店番号に関連付けられている店舗名を携帯端末に送信し、第２の情報処理装置は、カード情報を受信した場合、与信を行い、その与信の結果を与信情報として第１の情報処理装置に送信する。
【００１７】
本発明の一側面の携帯端末は、商品を購入した購入者に前記商品を配達する宅配業者が携帯する携帯端末であって、前記商品の代金の支払いに用いられる前記購入者のカードのカード情報を、前記カードから読み出す読み出し手段と、前記商品を販売した店を識別するために前記店に割り振られた店舗番号を取得する取得手段と、前記カード情報と前記店舗番号を送信する送信手段と、前記カードによる代金の支払いが承認されたか否かを表す与信情報と、前記店舗番号で示される前記店の店舗名を受信する受信手段と、前記与信情報が、前記カードによる代金の支払いが承認されたことを表している場合、前記店舗名が記載された領収書を発行する発行手段とを備える。
【００１８】
前記取得手段は、複数のキーで構成され、前記店舗番号は、前記商品を配達するのに必要な情報が記載されている荷札の一部に記載され、前記取得手段は、前記宅配業者が前記キーを操作することにより入力した前記店舗番号を取得するようにすることができる。
【００１９】
前記取得手段は、バーコードを読み取るリーダで構成され、前記店舗番号は、前記商品を配達するのに必要な情報が記載されている荷札の一部に記載され、前記取得手段は、前記宅配業者により操作された前記リーダにより読み取られたバーコードを解析することにより前記店舗番号を取得するようにすることができる。
【００２０】
本発明の一側面の情報処理方法は、商品を購入した購入者に前記商品を配達する宅配業者が携帯する携帯端末の情報処理方法において、前記商品の代金の支払いに用いられる前記購入者のカードのカード情報の前記カードからの読み出しを制御する読み出し制御ステップと、前記商品を販売した店を識別するために前記店に割り振られた店舗番号を取得する取得ステップと、前記カード情報と前記店舗番号の送信を制御する送信制御ステップと、前記カードによる代金の支払いが承認されたか否かを表す与信情報と、前記店舗番号で示される前記店の店舗名の受信を制御する受信制御ステップと、前記与信情報が、前記カードによる代金の支払いが承認されたことを表している場合、前記店舗名が記載された領収書を発行する発行ステップとを含む。
【００２１】
本発明の一側面のプログラムは、商品を購入した購入者に前記商品を配達する宅配業者が携帯する携帯端末を制御するコンピュータのプログラムであって、前記商品の代金の支払いに用いられる前記購入者のカードのカード情報の前記カードからの読み出しを制御する読み出し制御ステップと、前記商品を販売した店を識別するために前記店に割り振られた店舗番号を取得する取得ステップと、前記カード情報と前記店舗番号の送信を制御する送信制御ステップと、前記カードによる代金の支払いが承認されたか否かを表す与信情報と、前記店舗番号で示される前記店の店舗名の受信を制御する受信制御ステップと、前記与信情報が、前記カードによる代金の支払いが承認されたことを表している場合、前記店舗名が記載された領収書を発行する発行ステップとを含む。
【００２２】
本発明の携帯端末および携帯端末の情報処理方法、並びにプログラムにおいては、商品の代金の支払いに用いられる購入者のカードのカード情報と、商品を販売した店を識別するために店に割り振られた店舗番号が他の装置に送信され、カードによる代金の支払いが承認されたか否かを表す与信情報と、店舗番号で示される店の店舗名が他の装置から提供され、与信情報が、カードによる代金の支払いが承認されたことを表している場合、店舗名が記載された領収書が発行される。
【００２３】
本発明の一側面の情報処理装置は、商品を購入した購入者に前記商品を配達する宅配業者が携帯する携帯端末と情報を授受する情報処理装置であって、前記商品を販売した店を識別するために前記店に割り振った店舗番号、前記携帯端末により処理され、前記商品の代金の支払いに用いられるカードのカード会社が前記店に対して割り当てた加盟店番号、および、前記店の店舗名をそれぞれ関連付けたデータベースを管理する管理手段と、前記カードのカード情報と前記店舗番号を受信した場合、前記管理手段に管理されている前記データベースを参照し、受信された前記店舗番号に関連付けられている前記加盟店番号を読み出す読み出し手段と、前記読み出し手段により読み出された前記加盟店番号と受信された前記カード情報を、前記発行者の装置に送信する第１の送信手段と、前記カードによる代金の支払いが承認されたか否かを表す与信情報を受信した場合、受信された与信情報と、前記データベースから読み出される前記加盟店番号に関連付けられている店舗名を前記携帯端末に送信する第２の送信手段とを備える。
【００２４】
１つの前記店舗番号には、複数の発行者でそれぞれ割り当てた前記加盟店番号が関連付けられているようにすることができる。
【００２５】
本発明の一側面の情報処理方法は、商品を購入した購入者に前記商品を配達する宅配業者が携帯する携帯端末と情報を授受する情報処理装置の情報処理方法であって、前記商品を販売した店を識別するために前記店に割り振った店舗番号、前記携帯端末により処理され、前記商品の代金の支払いに用いられるカードのカード会社が前記店に対して割り当てた加盟店番号、および、前記店の店舗名をそれぞれ関連付けたデータベースを管理する管理ステップと、前記カードのカード情報と前記店舗番号を受信した場合、前記データベースを参照し、受信された前記店舗番号に関連付けられている前記加盟店番号の読み出しを制御する読み出し制御ステップと、前記読み出し制御ステップの処理で読み出しが制御された前記加盟店番号と受信された前記カード情報の前記発行者の装置への送信を制御する第１の送信制御ステップと、前記カードによる代金の支払いが承認されたか否かを表す与信情報を受信した場合、受信された与信情報と、前記データベースから読み出される前記加盟店番号に関連付けられている店舗名の前記携帯端末への送信を制御する第２の送信制御ステップとを含む。
【００２６】
本発明の一側面のプログラムは、商品を購入した購入者に前記商品を配達する宅配業者が携帯する携帯端末と情報を授受する情報処理装置を制御するコンピュータのプログラムであって、前記商品を販売した店を識別するために前記店に割り振った店舗番号、前記携帯端末により処理され、前記商品の代金の支払いに用いられるカードのカード会社が前記店に対して割り当てた加盟店番号、および、前記店の店舗名をそれぞれ関連付けたデータベースを管理する管理ステップと、前記カードのカード情報と前記店舗番号を受信した場合、前記データベースを参照し、受信された前記店舗番号に関連付けられている前記加盟店番号の読み出しを制御する読み出し制御ステップと、前記読み出し制御ステップの処理で読み出しが制御された前記加盟店番号と受信された前記カード情報の前記発行者の装置への送信を制御する第１の送信制御ステップと、前記カードによる代金の支払いが承認されたか否かを表す与信情報を受信した場合、受信された与信情報と、前記データベースから読み出される前記加盟店番号に関連付けられている店舗名の前記携帯端末への送信を制御する第２の送信制御ステップとを含む。
【００２７】
本発明の情報処理装置および方法、並びにプログラムにおいては、商品を販売した店を識別するために店に割り振った店舗番号、携帯端末により処理され、商品の代金の支払いに用いられるカードのカード会社が店に対して割り当てた加盟店番号、および、店の店舗名をそれぞれ関連付けたデータベースが管理され、カード情報と店舗番号が受信された場合、データベースが参照され、受信された店舗番号に関連付けられている加盟店番号が読み出され、送信され、カードによる代金の支払いが承認されたか否かを表す与信情報が受信された場合、受信された与信情報と、データベースから読み出される加盟店番号に関連付けられている店舗名が携帯端末に送信される。
【発明の効果】
【００２８】
本発明の一側面によれば、商品の購入代金の支払いに、クレジットカードを用いたときに、宅配業者などが代行して料金の回収を行ったとしても、クレジットカードを管理する側に、商品の販売元を通知することが可能となる。
【００２９】
本発明の一側面によれば、商品の購入代金の支払いに、クレジットカードを用いたときに、宅配業者などが代行して料金の回収を行ったとしても、商品の購入者に、商品の販売元を通知することが可能となる。
【００３０】
本発明の一側面によれば、決済に係わる処理を行う端末を、複数の加盟店で利用することが可能となる。
【発明を実施するための最良の形態】
【００３１】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３２】
本発明の一側面の情報処理システム（例えば、図２に示した情報処理システム）は、商品を購入した購入者に前記商品を配達する宅配業者が携帯する携帯端末（例えば、図２の携帯端末３５）、前記携帯端末と情報の授受を行う第１の情報処理装置（例えば、図２の登録サーバ３８）、および前記第１の情報処理装置と情報の授受を行う第２の情報処理装置（例えば、図２の決済サーバ４０）から構成される情報処理システムであって、前記携帯端末は、前記商品の代金の支払いに用いられる前記購入者のカードのカード情報と、前記商品を販売した店を識別するために前記店に割り振られた店舗番号を取得し、前記第１の情報処理装置に送信する第１の送信手段（例えば、図７のステップＳ７４の処理を実行する図３の通信部５８）と、前記第１の情報処理装置から、前記カードによる代金の支払いが承認されたか否かを表す与信情報と、前記店の店舗名を受信する受信手段（例えば、図７のステップＳ７５の処理を実行する図３の通信部５８）と、前記与信情報が、前記カードによる代金の支払いが承認されたことを表している場合、前記店舗名が記載された領収書を発行する発行手段（例えば、図７のステップＳ７７の処理を実行する図３のプリンタ５９）とを備え、前記第１の情報処理装置は、前記店舗番号、前記第２の情報処理装置で前記店に対して割り当てた加盟店番号、および、前記店の店舗名をそれぞれ関連付けたデータベース（例えば、図１０に示したデータベース１７１）を管理する管理手段（例えば、図４の記憶部８８）と、前記第１の送信手段により送信された前記カード情報と前記店舗番号を受信した場合、前記管理手段に管理されている前記データベースを参照し、前記店舗番号に関連付けられている前記加盟店番号を読み出し、前記第２の情報処理装置に、前記カード情報とともに送信する第２の送信手段（例えば、図９のステップＳ１０３の処理を実行する図４の通信部８９）と、前記第２の情報処理装置から送信された前記与信情報を受信した場合、受信された与信情報と、前記データベースから読み出される前記加盟店番号に関連付けられている店舗名を前記携帯端末に送信する第３の送信手段（例えば、図９のステップ１０５の処理を実行する図４の通信部８９）とを備え、前記第２の情報処理装置は、前記第２の送信手段により送信された前記カード情報を受信した場合、与信を行い、その与信の結果を前記与信情報として前記第１の情報処理装置に送信する第４の送信手段（例えば、図１１のステップＳ１３３の処理を実行する図５の通信部１１９）とを備える。
【００３３】
本発明の一側面の携帯端末（例えば、図３の携帯端末３５）は、商品の代金の支払いに用いられる購入者のカードのカード情報を、カードから読み出す読み出し手段（例えば、図３のカードリーダ５４）と、商品を販売した店を識別するために店に割り振られた店舗番号を取得する取得手段（例えば、図３のペンリーダ５６）と、カード情報と店舗番号を送信する送信手段（例えば、図３の通信部５８）と、カードによる代金の支払いが承認されたか否かを表す与信情報と、店舗番号で示される店の店舗名を受信する受信手段（例えば、図３の通信部５８）と、与信情報が、カードによる代金の支払いが承認されたことを表している場合、店舗名が記載された領収書を発行する発行手段（例えば、図３のプリンタ５９）とを備える。
【００３４】
本発明の一側面の情報処理装置（例えば、図４の登録サーバ３８）は、商品を販売した店を識別するために店に割り振った店舗番号、携帯端末により処理され、商品の代金の支払いに用いられるカードのカード会社が店に対して割り当てた加盟店番号、および、店の店舗名をそれぞれ関連付けたデータベース（例えば、図１０のデータベース１７１）を管理する管理手段（例えば、図４の記憶部８８）と、カードのカード情報と店舗番号を受信した場合、管理手段に管理されているデータベースを参照し、受信された店舗番号に関連付けられている加盟店番号を読み出す読み出し手段（例えば、図４の通信部８９とＣＰＵ８１）と、読み出し手段により読み出された加盟店番号と受信されたカード情報を、発行者の装置に送信する第１の送信手段（例えば、図４の通信部８９）と、カードによる代金の支払いが承認されたか否かを表す与信情報を受信した場合、受信された与信情報と、データベースから読み出される加盟店番号に関連付けられている店舗名を携帯端末に送信する第２の送信手段と（例えば、図４の通信部８９）を備える。
【００３５】
以下に、本発明の実施の形態について図面を参照して説明する。
【００３６】
［システム構成について］
図２は、本発明の情報処理システムの一実施の形態の構成を示す図である。図２に示した情報処理システムは、例えば、インターネット上の店から商品を購入した購入者に、宅配業者を介して商品が配送されるときのシステムである。また、商品の購入代金の支払いがクレジットカードなどの現金以外の方法で支払われるときのシステムである。
【００３７】
以下の説明におけるクレジットカードは、磁気カードであっても、ＩＣカードでも良い。また、本実施の形態におけるカードとの記載は、磁気カードやＩＣカードのクレジットカードに代表される決済カードである。
【００３８】
店１１は、インターネット上のショッピングモールに出店している店である。購入者３２は、ネットワーク（図２では不図示）を介して店３１にアクセスし、所望の商品を検索し、所望の商品が見つかったときに購入の手続きを行う。ここでは、購入者３は、商品３３を購入したとする。
【００３９】
購入者３２が商品３３を購入すると、店３１から購入者３２に対して、商品３３が宅配業者３４により配送される。店３１と宅配業者３４との間には、商品の購入代金を、宅配業者３４が回収するという商品代金集金委託契約を結んである。そのような契約が結んであるため、購入者３２は、商品３３が宅配業者３４により配送されてきたときに、クレジットカード３６（以下、単にカード３６と略記する）で商品３３の代金を、宅配業者３４に支払うことができるようになっている。
【００４０】
宅配業者３４は、カード３６による支払いに対応するために携帯端末３５を所持している。携帯端末３５は、カード３６や荷札などから情報を読み取る機能を有している。携帯端末３５がカード３６や荷札から読み取る情報などについては後述する。
【００４１】
携帯端末３５は読み取った情報などを、ネットワーク３７を介して登録サーバ３８に送信する。登録サーバ３８は、詳細は後述するが、店３１の情報を管理するためのデータベースを有している。店３１は登録サーバ３８への登録の契約を結んでおり、登録サーバ３８には店３１の情報が登録されている。
【００４２】
登録サーバ３８は、自己が管理しているデータベースを参照し、店３１を特定する情報を読み出し、ネットワーク３９を介して、決済サーバ４０に、読み出した情報と共に、携帯端末３５からの情報を送信する。
【００４３】
決済サーバ４０は、カード３６を発行したクレジットカード会社が管理するサーバである。決済サーバ４０は、予審などの処理を実行する。決済サーバ４０を管理するクレジットカード会社と店３１は、加盟店契約を結んでいる。
【００４４】
なお、ここでは決済サーバ４０は、予審などの処理を実行し、またカード３６を発行したクレジットカード会社が管理するサーバであるとして説明を続けるが、予審と決済を別々に行う異なるサーバを設けるようにしても良い。また、予審を行うサーバは、カード３６を発行したクレジットカード会社が管理するサーバであり、決済を行うサーバは、カード３６を発行したクレジットカード会社以外の会社（決済会社）が管理するサーバであるようにしても良い。すなわち、本発明は、決済サーバ４０が、予審と決済の両方を行うサーバであり、カード３６を発行したクレジットカード会社が管理するという実施の形態に適用が限定されるものではない。
【００４５】
決済サーバ４０は、登録サーバ３８からの情報を参照し、カード３６による決済を認めるか否か、すなわち予審を行い、その結果を、ネットワーク３９を介して登録サーバ３８に送信する。登録サーバ３８は、さらに、ネットワーク３７を介して、携帯端末３５に、決済サーバ４０からの予審の結果を送信する。
【００４６】
携帯端末３５は、決済サーバ４０からの予審の結果に応じた処理を実行する。すなわち、予審の結果が、決済の承諾を示すものであった場合、領収書などの発行が行われ、決済を承諾しないことを示すものであった場合、エラー表示などが行われ、カード３６から再度情報が読み取られるなどの処理が行われたり、現金の支払いに変えてもらうなどの処理が実行されたりする。
【００４７】
購入者３２が商品３３を購入する際に店３１にアクセスする際のネットワーク（図２では不図示）、ネットワーク３７、およびネットワーク３９は、それぞれ、インターネットなどのＷＡＮ（Wide Area Network）やＬＡＮ（Local Area Network）などを含む構成とされている。また、図２においては、説明の都合上別々に記載したが、同一のネットワークとしても良い。
【００４８】
図２においては、説明の都合上、店３１、登録サーバ３８、決済サーバ４０などはそれぞれ１つしか図示していないが、ネットワークには複数の店１１、登録サーバ３８、決済サーバ４０が接続されている。例えば、クレジットカード会社毎に決済サーバ４０を管理する場合、複数のクレジットカード会社がそれぞれ管理する決済サーバ４０が存在し、それらの複数の決済サーバ４０がネットワーク３９に接続される。
【００４９】
次に、図２に示した携帯端末３５、登録サーバ３８、および決済サーバ４０の内部構成例についてそれぞれ説明を加える。
【００５０】
［携帯端末の内部構成例について］
図３は、携帯端末３５の内部構成例を示す図である。携帯端末３５は、ＩＣカードＩ／Ｆ（インタフェース）部５１、キーボード５２、メモリ５３、カードリーダ５４、制御部５５、ペンリーダ５６、ディスプレイ５７、通信部５８、およびプリンタ５９を含む構成とされている。
【００５１】
ＩＣカードＩ／Ｆ部５１は、電子マネーに用いられるＩＣカードが接続可能に構成され、接続されたＩＣカードから情報を読み出したり、情報を書き込んだりする機能を有する。カードリーダ５４は、カード３６が装着されたとき、カード３６に記録されている情報、例えば、カード３６の有効期限などの情報を読み取る機能を有する。
【００５２】
ペンリーダ５６は、荷札に記載されているバーコードから問い合わせ番号を読み取ったり、後述する店舗番号を読み取ったりする機能を有する。ただし、店舗番号は、ペンリーダ５６により読み取られるようにしても良いし、キーボード５２から宅配業者３４が入力するようにしても良く、ペンリーダ５６により店舗番号が読み取られる実施の形態に限定されることを示す記載ではない。
【００５３】
キーボード５２は、商品の金額、カード３６の暗証番号、商品識別情報、店舗番号などが入力される際に用いられる。テンキーなどと称される、キーと同様に構成され、主に数字を入力するためのキーである。
【００５４】
制御部５５は、携帯端末３５の内部を制御する機能を有する。メモリ５３は、制御部５５が各部を制御するのに必要とされる制御データや、一時的なデータなどを記憶する機能を有する。通信部５８は、ネットワーク３７（図２）を介した通信を制御する機能を有する。ディスプレイ５７は、入力内容やメッセージなどをユーザ（宅配業者３４や購入者３２）に認識させるための表示を行う機能を有する。プリンタ５９は、カード３６による決済が完了したときに、領収書を印刷する機能を有する。
【００５５】
［登録サーバ３８の内部構成例について］
図４は、登録サーバ３８の内部構成例を示す図である。登録サーバ３８は、ＣＰＵ（Central Processing Unit）８１、ＲＯＭ（Read Only Memory）８２、ＲＡＭ（Random Access Memory）８３、バス８４、入出力インタフェース８５、入力部８６、出力部８７、記憶部８８、通信部８９、およびドライブ９０を含む構成とされている。
【００５６】
ＣＰＵ８１は、ＲＯＭ８２、または記憶部８８に記憶されているプログラムに従って各種の処理を実行する。ＲＡＭ８３には、ＣＰＵ８１が実行するプログラムやデータなどが適宜記憶される。これらのＣＰＵ８１、ＲＯＭ８２、およびＲＡＭ８３は、バス８４により相互に接続されている。
【００５７】
ＣＰＵ８１にはまた、バス８４を介して入出力インタフェース８５が接続されている。入出力インタフェース８５には、キーボード、マウス、マイクロホンなどよりなる入力部８６、ディスプレイ、スピーカなどよりなる出力部８７が接続されている。ＣＰＵ８１は、入力部８６から入力される指令に対応して各種の処理を実行する。そして、ＣＰＵ８１は、処理の結果を出力部８７に出力する。
【００５８】
入出力インタフェース８５に接続されている記憶部８８は、例えばハードディスクからなり、ＣＰＵ８１が実行するプログラムや各種のデータを記憶する。また記憶部８８には、店１１を特定するための情報が管理されるデータベースも記憶されている。通信部８９は、インターネットやローカルエリアネットワークなどのネットワークを介して外部の装置（例えば、図２の携帯端末３５や決済サーバ４０など）と通信する。
【００５９】
また、通信部８９を介してプログラムを取得し、記憶部８８に記憶してもよい。
【００６０】
入出力インタフェース８５に接続されているドライブ９０は、磁気ディスク、光ディスク、光磁気ディスク、あるいは半導体メモリなどのリムーバブルメディア９１が装着されたとき、それらを駆動し、そこに記録されているプログラムやデータなどを取得する。取得されたプログラムやデータは、必要に応じて記憶部８８に転送され、記憶される。
【００６１】
［決済サーバ４０の内部構成例について］
図５は、決済サーバ４０の内部構成例を示す図である。決済サーバ４０は、ＣＰＵ１１１、ＲＯＭ１１２、ＲＡＭ１１３、バス１１４、入出力インタフェース１１５、入力部１１６、出力部１１７、記憶部１１８、通信部１１９、およびドライブ１２０を含む構成とされている。
【００６２】
ＣＰＵ１１１は、ＲＯＭ１１２、または記憶部１１８に記憶されているプログラムに従って各種の処理を実行する。ＲＡＭ１１３には、ＣＰＵ１１１が実行するプログラムやデータなどが適宜記憶される。これらのＣＰＵ１１１、ＲＯＭ１１２、およびＲＡＭ１１３は、バス１１４により相互に接続されている。
【００６３】
ＣＰＵ１１１にはまた、バス１１４を介して入出力インタフェース１１５が接続されている。入出力インタフェース１１５には、キーボード、マウス、マイクロホンなどよりなる入力部１１６、ディスプレイ、スピーカなどよりなる出力部１１７が接続されている。ＣＰＵ１１１は、入力部１１６から入力される指令に対応して各種の処理を実行する。そして、ＣＰＵ１１１は、処理の結果を出力部１１７に出力する。
【００６４】
入出力インタフェース１１５に接続されている記憶部１１８は、例えばハードディスクからなり、ＣＰＵ１１１が実行するプログラムや各種のデータを記憶する。通信部１１９は、インターネットやローカルエリアネットワークなどのネットワークを介して外部の装置（例えば、図２の登録サーバ３８など）と通信する。
【００６５】
また、通信部１１９を介してプログラムを取得し、記憶部１１８に記憶してもよい。
【００６６】
入出力インタフェース１１５に接続されているドライブ１２０は、磁気ディスク、光ディスク、光磁気ディスク、あるいは半導体メモリなどのリムーバブルメディア９１が装着されたとき、それらを駆動し、そこに記録されているプログラムやデータなどを取得する。取得されたプログラムやデータは、必要に応じて記憶部１１８に転送され、記憶される。
【００６７】
［情報処理システムの動作について］
図６のフローチャートを参照し、図２に示した情報処理システムの動作（処理の流れ）について説明する。図６のフローチャートを参照して説明するのは、携帯端末３５、登録サーバ３８、および決済サーバ４０における処理の流れの概略である。各装置の動作の詳細については、それぞれ、図７、図９、図１１のフローチャートを参照して後述する。
【００６８】
図６のフローチャートの処理は、購入者３２が、店３１で商品３３の購入手続きを実行し、店３１から商品３３が宅配業者３４により購入者３２に配送され、購入者３２がカード３６で購入代金の支払いをすることを前提としている。
【００６９】
ステップＳ１１において、携帯端末３５は、装着された購入者３２のカード３６や商品３３に貼られている荷札などから情報を読み取る。カード３６から読み取られる情報は、認証番号、有効期限、暗証番号などである。荷札から読み取られる情報は、問い合わせ番号や店舗番号である。読み取られた情報は、登録サーバ３８に対して、ネットワーク３７を介して送信される。送信される情報は、カード３６や荷札から読み取られた情報の他に、携帯端末３５を識別するための端末識別番号、商品３３の商品金額、商品３３を識別するための商品識別情報などもある。
【００７０】
ステップＳ３１において、登録サーバ３８は、携帯端末３５から送信されてきた情報を受信する。登録サーバ３８は、携帯端末３５からの情報を受信すると、ステップＳ３２において、管理しているデータベースを参照し、受信した店舗番号に対応する加盟店番号の読み出しを行う。読み出される加盟店番号は、この場合、店３１に割り当てられている番号である。読み出された加盟店番号と携帯端末３５からの情報は、ネットワーク３９を介して決済サーバ４０に送信される。
【００７１】
ステップＳ５１において、決済サーバ４０は、登録サーバ３８からの情報を受信する。決済サーバ４０は、登録サーバ３８からの情報を受信すると、ステップＳ５２において、予審を行う。予審とは、カード３６による決済を認めるか否かの判断を行うことである。予審の結果は、予審情報として、登録サーバ３８に送信される。
【００７２】
ステップＳ３３において、登録サーバ３８は、決済サーバ４０からの予審情報を受信する。ステップＳ３４において、登録サーバ３８は、予審情報と店舗名の情報を、携帯端末３５に送信する。
【００７３】
ステップＳ１２において、携帯端末３５は、登録サーバ３８からの情報を受信する。携帯端末３５は、登録サーバ３８からの情報を受信すると、ステップＳ１３において、受信した情報のうち、予審情報に基づく処理を実行する。予審情報が、カード３６による支払いを許可していることを表している場合、領収書の発行などの処理が行われ、カード３６による支払いを許可していないことを表している場合、エラー処理などが実行される。
【００７４】
このように、登録サーバ３８において、店３１の店舗番号や店舗名を管理し、決済サーバ４０に送信することで、決済サーバ４０を管理するクレジットカード会社は、クレジットカードでの支払いを受けた販売店（この場合、店１１）を特定することができるようになる。また、購入者３２に対して発行される領収書に、店１１の店舗名など、店１１の情報を記入することが可能となる。
【００７５】
次に、図７のフローチャートを参照し、携帯端末３５の動作について説明する。
【００７６】
ステップＳ７１において、携帯端末３５は、カード３６からカード情報を読み出す。携帯端末３５の制御部５５（図３）は、カードリーダ５４にカード３６が装着されたと判断すると、カードリーダ５４に指示を出し、装着されたカード３６から、そのカード３６の有効期限、認証番号を読み取らせる。カードリーダ５４により読み出された有効期限や認証番号といったカード情報は、制御部５５の制御の基、メモリ５３に記憶される。
【００７７】
このようにしてカード情報として、有効期限、認証番号といった情報が取得され、メモリ５３に記憶される。
【００７８】
ステップＳ７２において、商品に関する情報が読み取られる。宅配業者３４により、携帯端末３５のキーボード５２が操作され、商品金額が入力される。入力された商品金額の情報は、メモリ５３に記憶される。また、この際、商品金額や配送金額などの商品を識別するための商品識別情報も入力され、メモリ５３に記憶される。
【００７９】
さらに、宅配業者３４は、携帯端末３５のペンリーダ５６（図３）を用いて、荷札に記載されているバーコードを読み取り、商品の問い合わせ番号をメモリ５３に記憶させる。このようにして商品情報として、商品代金、商品識別情報、および、商品の問い合わせ番号といった情報が取得され、メモリ５３に記憶される。
【００８０】
ステップＳ７３において、店舗（荷主）番号が取得される。店舗番号は、荷札の一部に記載されている。図８に荷札の一例を示す。荷札１５１には、送り主の情報が記載されている送り主情報記載欄１５２がある。この場合、この送り主情報記載欄１５２には、店３１の住所や電話番号、店舗名といった情報が記載されている。
【００８１】
荷札１５１には、送り先の情報が記載されている送り先情報記載欄１５３がある。この場合、送り先情報記載欄１５３には、購入者３２の住所や電話番号、氏名といった情報が記載されている。
【００８２】
荷札１５１には、店舗番号が記載されている店舗番号記載欄１５４がある。店舗番号記載欄１５４には、店舗番号が記載されている。図８に示したように、店舗番号記載欄１５４に数字が記載されている場合、宅配業者３４によりキーボード５２が操作され、店舗番号が入力される。店舗番号記載欄１５４が、バーコードである場合、ペンリーダ５６によりバーコードが読み取られ、制御部５５により読み取れたバーコードが解析されることにより、店舗番号が入力される。
【００８３】
店舗番号は、数字で記載されていても良いし、バーコードで記載されていても良いし、その他の文字や記号で記載されていても良く、それらの記載方法に適した装置が用いられ、携帯端末３５に入力され、メモリ５３に記憶される。
【００８４】
なお、図８に示した荷札１５１には、商品の問い合わせ番号を示したバーコードなどの記載は省略したが、図８に示した情報以外の情報も、もちろん荷札１５１には記載されている。
【００８５】
図７のフローチャートの説明に戻り、ステップＳ７４において、読み取られた情報、すなわち、メモリ５３に記憶された情報が、登録サーバ３８に送信される。登録サーバ３８に送信される情報は、メモリ５３に記憶された情報と、携帯端末３５を識別するための端末識別番号である。登録サーバ３８に情報を送信した後、携帯端末３５は、登録サーバ３８からの情報の受信待ちの状態になる。
【００８６】
ステップＳ７５において、携帯端末３５は、登録サーバからの情報を受信したか否かを判断する。ステップＳ７５において、登録サーバ３８からの情報を受信したと判断されるまで、待機状態が維持され、登録サーバ３８からの情報を受信したと判断された場合、ステップＳ７６に処理が進められる。
【００８７】
ステップＳ７６において、カード３６による支払いが承認されたか否かが判断される。登録サーバ３８から送信されてくる情報は、決済サーバ３８からの予審の結果と登録サーバ３８で店舗番号から読み出された店１１の店舗名などの情報である。携帯端末３５の制御部５５は、通信部５８により登録サーバ３８からの情報を受信した場合、受信された情報のうちの予審結果の情報を参照し、その予審結果がカード３６による支払いを承認していることを示しているか否かを判断する。予審結果が、カード３６による支払いを承認していることを示していると判断された場合、ステップＳ７７に処理が進められ、領収書の発行が行われる。
【００８８】
ステップＳ７７において、制御部５５は、プリンタ５９を制御し、領収書を印刷させる。印刷された領収書には、メモリ５３に記憶されている購入代金(支払い代金)が記載されている。また制御部５５は、プリンタ５９を制御し、領収書を印刷させる際、通信部５８により受信された登録サーバ３８からの店１１に関する情報も印刷させる。すなわちこの場合、領収書には、店１１の店舗名も印刷されている。
【００８９】
このように、宅配業者３４により発行される領収書であっても、店１１の店舗名、すなわち商品を購入した店の店舗名を領収書に印刷させることが可能となる。商品を購入した店の情報が、領収書に記載されることにより、購入者３２は、どの商品を購入したときの領収書であるかを認識することができるようになり、領収書の整理をしやすくなる。
【００９０】
一方ステップＳ７６において、予審結果がカード３６による支払いを承認していないことを示していると判断された場合、ステップＳ７８に処理が進められる。ステップＳ７８において、エラー通知が行われる。
【００９１】
エラー通知とは、例えば、ディスプレイ５７に“再度カードを装着してください”といったメッセージなどが表示される処理である。このようなメッセージがディスプレイ５７に表示された場合、宅配業者３４は、再度カード３６をカードリーダ５４に装着する。その結果、携帯端末３５では、ステップＳ７１以降の処理が繰り返される。または、現金払いに替えてもらうといった処理が行われる場合もある。
【００９２】
このような処理が、携帯端末３５により行われる。
【００９３】
次に、図９のフローチャートを参照し、登録サーバ３８の動作について説明する。
【００９４】
ステップＳ１０１において、登録サーバ３８は、携帯端末３５からの情報を受信する。上述したように、携帯端末３５からは、端末識別番号、問い合わせ番号、商品代金、商品識別情報、認証番号、店舗番号といった情報が送信されてくる。登録サーバ３８の通信部８９(図４)は、携帯端末３５からの情報を受信すると、その情報を記憶部８８、またはＲＡＭ８３に記憶させる。
【００９５】
ステップＳ１０２において、店舗番号に一致する加盟店番号が読み出される。店舗番号とは、各店舗(例えば、店３１)に登録サーバ３８側で割り当てた識別番号である。加盟店番号とは、クレジットカード会社が加盟店の契約を結んだ各店舗(例えば、店３１)に対して割り当てた識別番号である。
【００９６】
店舗番号と加盟店番号は関連付けられ、データベースとして、記憶部８８(図４)に記憶されている。図１０に、記憶部８８に記憶され、管理されているデータベースの一例を示す。
【００９７】
データベース１７１には、“店舗番号”、“店舗名”、“カードＡの加盟店番号”、“カードＢの加盟店番号”という項目が設けられ、それぞれの項目に該当する情報が、それぞれ関連付けられて管理されている。
【００９８】
例えば、店舗番号が“００００１”という店の店舗名は“店舗Ａ”であり、カードＡの加盟店番号は“００１２３”であり、カードＢの加盟店番号は“０５２３８”であるという情報がそれぞれ関連付けられてデータベース１７１に管理されている。
【００９９】
“カードＡの加盟店番号”や“カードＢの加盟店番号”とは、１つの店が、カードＡというクレジットカード会社とカードＢというクレジットカード会社という異なるクレジットカード会社と加盟店契約していることが考えられ、複数のクレジットカード会社と契約しているような場合には、カード会社毎に加盟店に対して加盟店番号を割り振るために、図１０に示したように、２つの加盟店番号をそれぞれ記載できる欄を設けてある。
【０１００】
よって、図１０ではカードＡとカードＢという２つのカードの加盟店番号が記載できるデータベース１７１を例にあげたが、クレジットカード会社の数(少なくとも、登録サーバ３８を管理する会社と契約を結んでいるクレジットカード会社の数)だけ、加盟店番号を記載する欄が設けられる。
【０１０１】
また、所定の店が、データベース１７１に登録されている全てのクレジットカード会社と契約を結んでいるとは限らないため、その所定の店が契約しているクレジットカード会社に対応する欄にだけ、加盟店番号が記載される。
【０１０２】
例えば、店舗名が“店舗Ａ”の店は、カードＡのクレジット会社とカードＢのクレジット会社の両方と契約を結んでいるため、カードＡのクレジット会社とカードＢのクレジット会社のそれぞれの会社から割り当てられた加盟店番号が、それぞれの対応する欄に記載されているが、店舗名が“店舗Ｂ”の店は、カードＡのクレジット会社としか契約を結んでいないため、カードＡのクレジット会社から割り当てられた加盟店番号が、カードＡの加盟店番号の欄に記載されているが、カードＢの加盟店番号の欄は空欄とされている。
【０１０３】
このような情報を管理するデータベース１７１を、登録サーバ３８は、作成し、更新し、管理している。
【０１０４】
なお、データベース１７１は、例えば、入力部８６から入力された情報により生成、更新される。また通信部８９を介して他の装置から送信されてきた情報や、リムーバブルメディア９１に記憶され、ドライブ９０により読み込まれた情報により生成、更新される。
【０１０５】
図９のフローチャートの説明に戻り、ステップＳ１０２において、店舗番号に一致する加盟店番号が読み出される。携帯端末３５からは、店舗番号を含む情報が送信されてくるため、登録サーバ３８は、受信した携帯端末３５からの情報から店舗番号を参照し、その参照している店舗番号に一致する店舗番号を、データベース１７１内を検索して探し出す。
【０１０６】
そして一致する店舗番号に関連付けられている加盟店番号が、データベース１７１から読み出される。加盟店番号として複数の加盟店番号が関連付けられている場合、携帯端末３５からの情報に含まれる認証番号が参照され、クレジットカード会社が特定され、その特定されたクレジットカード会社が割り振った加盟店番号が読み出される。
【０１０７】
加盟店番号が読み出される際、店舗名も読み出されるようにしても良い。
【０１０８】
このようにしてデータベース１７１から読み出された加盟店番号は、ステップＳ１０３の処理で、決済サーバ４０に対して送信される。ステップＳ１０３において、登録サーバ３８から決済サーバ４０に送信される情報は、加盟店番号だけでなく、認証番号も送信される。
【０１０９】
ステップＳ１０４において、決済サーバ４０から予審情報を受信したか否かが判断される。ステップＳ１０４において、予審情報が受信されたと判断されるまで、待機状態が維持され、予審情報が受信されたと判断されると、ステップＳ１０５に処理が進められる。
【０１１０】
ステップＳ１０５において、予審情報と店舗名が携帯端末３５に送信される。店舗名は、ステップＳ１０２の処理が実行されるときに、加盟店番号とともに読み出されるようにし、その読み出された店舗名がステップＳ１０５の処理のときに送信されるようにしても良いし、ステップＳ１０５の処理が実行されるときに、データベース１７１から読み出され、送信されるようにしても良い。
【０１１１】
このように、登録サーバ３８は、店舗番号と加盟店番号(店舗名)を管理することにより、決済サーバ４０に対して、加盟店番号(店舗名)を提供することが可能となる。また、登録サーバ３８は、店舗番号と加盟店番号(店舗名)を管理することにより、携帯端末３５に対して、店舗名を提供することが可能となる。
【０１１２】
次に、図１１のフローチャートを参照し、決済サーバ４０の動作について説明する。
【０１１３】
ステップＳ１３１において、決済サーバ４０の通信部１１９(図５)は、登録サーバ３８から、認証番号と加盟店番号を受信する。決済セーバ４０は、認証番号を受信した場合、ステップＳ１３２において、予審を行う。決済サーバ４０は、図示しないデータベースを管理しており、そのデータベースを参照して予審の処理を行う。
【０１１４】
データベースには、クレジットカードの有効性を判断するために利用者毎に付与された認証番号が管理されている。決済サーバ４０は、登録サーバ３８からの認証番号（すなわち、カード３６から読み出された認証番号）が、自己が管理するデータベースに登録されているか否かを判断し、カード３６による決済を申し込んできた購入者３２が現在も当該クレジットカード会社とクレジット契約を締結し、かつ利用可能状態にあるか否かを判断することにより予審の処理を実行する。
【０１１５】
決済サーバ４０は、購入者に関するクレジット契約が有効であると判断した場合、クレジットによる決済を承認するという内容の予審情報を生成し、購入者に関するクレジット契約が無効であると判断した場合、クレジットによる決済を承認しないという内容の予審情報を生成する。
【０１１６】
生成された予審情報は、ステップＳ１３３において、通信部１１９から携帯端末３５に対して送信される。
【０１１７】
このように、決済サーバ４０には、登録サーバ３８から、加盟店番号が送信されてくるので、決済にかかわる商品を販売した店舗を、決済サーバ４０側で特定することが可能となる。
【０１１８】
このように、登録サーバ３８で商品を販売した店の店舗名を、携帯端末３５に提供するようにすることで、商品を購入した購入者に発行される領収書であり、携帯端末３５で発行される領収書に商品を販売した店の店舗名を記載することが可能となる。
【０１１９】
また、登録サーバ３８で商品を販売した店の加盟店番号を、決済サーバ４０に提供するようにすることで、決済サーバ４０側で、実際の販売加盟店を特定することが可能となり、購入者(クレジットカードの利用者)に対して発行される利用明細書であり、クレジットカード会社で発行される利用明細書に商品を販売した店の店舗名を表示することが可能となる。
【０１２０】
決済サーバ４０側、すなわちクレジットカード会社側で、店舗を特定できるようになると、例えば、不適切な商品を販売する店舗を特定し、その結果、予審のときに、自社のクレジットカードでの決済を承認しないとい予審結果をだせるようにすることが可能となる。すなわち、不適切な商品を売買するような店に対する支払いに、自社のクレジットカードが利用されてしまうようなことを防ぐことが可能となる。
【０１２１】
なお、上記した実施の形態においては、宅配業者が携帯端末により商品の代金の支払いにかかわる処理を実行する場合を例にあげて説明したが、他の実施の形態においても、本発明を適用することは可能である。
【０１２２】
上述した実施の形態における携帯端末３５は、１台で、複数のカードによる決済処理を処理できる構成とされているため、例えば、このような機能を有する携帯端末を、展示即売会の会場などで、複数の店舗で共有して利用するような場合にも適用することが可能である。また、例えば、保険の代理店などで、複数の保険会社の契約を販売できる会社が、決済時に保険会社毎に明細を発行するような場合にも本発明を適用することができる。すなわち、上述した実施の形態における宅配業者３４を、他の使用者にした場合であっても、本願を適用することができる。
【０１２３】
本発明を適用することで、１台の端末を複数の加盟店で利用することが可能となる。
【０１２４】
［記録媒体について］
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム格納媒体からインストールされる。
【０１２５】
コンピュータにインストールされ、コンピュータによって実行可能な状態とされるプログラムを格納するプログラム格納媒体は、図４に示すように、磁気ディスク（フレキシブルディスクを含む）、光ディスク（CD-ROM(Compact Disc-Read Only Memory),DVD(Digital Versatile Disc)を含む）、光磁気ディスク（ＭＤ（Mini-Disc）を含む）、もしくは半導体メモリなどよりなるパッケージメディアであるリムーバブルメディア９１、または、プログラムが一時的もしくは永続的に格納されるＲＯＭ８２や、記憶部８８を構成するハードディスクなどにより構成される。プログラム格納媒体へのプログラムの格納は、必要に応じてルータ、モデムなどのインタフェースである通信部８９を介して、ローカルエリアネットワーク、インターネット、デジタル衛星放送といった、有線または無線の通信媒体を利用して行われる。
【０１２６】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１２７】
また、本明細書において、システムとは、複数の装置により構成される装置全体を表すものである。
【０１２８】
なお、本発明の実施の形態は、上述した実施の形態に限定されるものではなく、本発明の要旨を逸脱しない範囲において種々の変更が可能である。
【図面の簡単な説明】
【０１２９】
【図１】従来の決済にかかわるシステムの一例の構成を示す図である。
【図２】本発明を適用した決済にかかわるシステムの一実施の形態の構成を示す図である。
【図３】携帯端末の内部構成例を示す図である。
【図４】登録サーバの内部構成例を示す図である。
【図５】決済サーバの内部構成例を示す図である。
【図６】システムの動作について説明するフローチャートである。
【図７】携帯端末の動作について説明するフローチャートである。
【図８】荷札について説明する図である。
【図９】登録サーバの動作について説明するフローチャートである。
【図１０】データベースについて説明する図である。
【図１１】決済サーバの動作について説明するフローチャートである。
【符号の説明】
【０１３０】
３１  店，  ３２  購入者，  ３３  商品，  ３４  宅配業者,  ３５  携帯端末，  ３６  カード，  ３７  ネットワーク,  ３８  登録サーバ，  ３９  ネットワーク,  ４０決済サーバ，  ５１  ＩＣカードＩ／Ｆ部,  ５２  キーボード,  ５３  メモリ，  ５４  カードリーダ,  ５５  制御部，  ５６  ペンリーダ，  ５７  ディスプレイ,  ５８  通信部，  ５９  プリンタ,  ８１  ＣＰＵ，  ８２  ＲＯＭ,  ８３  ＲＡＭ，  ８４  バス,  ８５  入出力インタフェース，  ８６  入力部,  ８７  出力部，  ８８  記憶部,  ８９  通信部，  ９０  ドライブ,  ９１  リムーバブルディスク，  １１１  ＣＰＵ，  １１２  ＲＯＭ,  １１３  ＲＡＭ，  １１４  バス,  １１５  入出力インタフェース，  １１６  入力部,  １１７  出力部，  １１８  記憶部,  １１９  通信部，  ９０  ドライブ,  ９１  リムーバブルディスク，  １５４  店舗番号記載欄，  １７１  データベース
【図１】
2007299087.tif 000003
【図２】
2007299087.tif 000004
【図３】
2007299087.tif 000005
【図４】
2007299087.tif 000006
【図５】
2007299087.tif 000007
【図６】
2007299087.tif 000008
【図７】
2007299087.tif 000009
【図８】
2007299087.tif 000010
【図９】
2007299087.tif 000011
【図１０】
2007299087.tif 000012
【図１１】
2007299087.tif 000013